(57)【要約】【課題】簡単な構成で、容易に端子の識別ができ、そのため逆接続を防止することが可能な電気部品を提供する。【解決手段】電源側に接続される電源側端子１３と負荷側に接続される負荷側端子１４とがケース１の同じ面から突出した電気部品において、電源側端子１３の配置される第１のケース領域１１と負荷側端子１４の配置される第２のケース領域１２との間に段差１５を設ける。また、電源側端子１３と負荷側端子１４とのどちらか一方の周囲に端子を囲む周壁２０を設ける。【選択図】図１
2005243898.tif 000002
【特許請求の範囲】
【請求項１】
電源側に接続される電源側端子（１３）と、負荷側に接続される負荷側端子（１４）とがケース（１０）の同じ面から突出した電気部品において、上記電源側端子（１３）が配置された第１のケース領域（１１）と、上記負荷側端子（１４）が配置された第２のケース領域（１２）とでケース（１０）の形状を異ならせて、上記第１のケース領域（１１）と第２のケース領域（１２）とを識別できるようにしたことを特徴とする電気部品。
【請求項２】
第１のケース領域（１１）と第２のケース領域（１２）との間に段差（１５）を設けたことを特徴とする請求項１の電気部品。
【請求項３】
上記電源側端子（１３）と上記負荷側端子（１４）とのどちらか一方の周囲に端子を囲む周壁（２０）を設けたことを特徴とする請求項１の電気部品。
【発明の詳細な説明】
【技術分野】
【０００１】
この発明は、電源側及び負荷側に接続される端子を有する電気部品に関するものである。
【背景技術】
【０００２】
電源と負荷の間に接続される電気部品、例えばコンデンサやリレー等の回路部品をケースに収納した電気部品においては、図３に示すように、電源側に接続される電源側端子３１と負荷側に接続される負荷側端子３２とがケース３０の同一側面に設けられていた。
【発明の開示】
【発明が解決しようとする課題】
【０００３】
しかしながら、電源側端子３１と負荷側端子３２とが同じ形状の場合、接続作業の際、電源側端子３１と負荷側端子３２とを誤認し、これらを逆に接続してしまうおそれがある。このように電源側端子３１と負荷側端子３２とを逆に接続してしまうと、回路が不動作になったり、回路部品が損傷する可能性があり、端子の誤認を防止する対策が必要とされていた。
【０００４】
この発明は、上記従来の欠点を解決するためになされたものであって、その目的は、簡単な構成で、容易に端子の識別ができ、そのため逆接続を防止することが可能な電気部品を提供することにある。
【課題を解決するための手段】
【０００５】
請求項１の電気部品は、電源側に接続される電源側端子１３と、負荷側に接続される負荷側端子１４とがケース１０の同じ面から突出した電気部品において、上記電源側端子１３が配置された第１のケース領域１１と上記負荷側端子１４が配置された第２のケース領域１２とでケース１０の形状を異ならせ、上記第１のケース領域１１と上記第２のケース領域１２とを識別できるようにしたことを特徴としている。
【０００６】
請求項２の電気部品は、第１のケース領域１１と第２のケース領域１２との間に段差１５を設けたことを特徴としている。
【０００７】
請求項３の電気部品は、上記電源側端子１３と上記負荷側端子１４とのどちらか一方の周囲に端子を囲む周壁２０を設けたことを特徴としている。
【発明の効果】
【０００８】
請求項１の電気部品によれば、上記電源側端子１３が配置された第１のケース領域１１と上記負荷側端子１４が配置された第２のケース領域１２とを、ケース１０の形状により視覚的に区別することができる。従って、電源側端子１３と負荷側端子１４との識別を容易、かつ確実に行うことができ、逆接続を防止できる。
【０００９】
請求項２の電気部品によれば、電源側端子１３が配置されたケース領域１１と負荷側端子１４が接続されたケース領域１２とを、段差１５により、区別することができる。従って、簡単な構成で容易に、しかも確実に端子の識別ができ、逆接続を防止できる。
【００１０】
請求項３の電気部品によれば、周壁２０により、電源側端子１３が配置されたケース領域１１と負荷側端子１４が配置されたケース領域１２とを区別することができる。従って、簡単な構成で容易に、しかも確実に端子の識別ができ、逆接続を防止できる。
【発明を実施するための最良の形態】
【００１１】
次に、この発明の電気部品の具体的な実施の形態について、図面を参照しつつ詳細に説明する。図１に第１実施形態を示している。同図において、１０はケースであって、このケース１０は、概略直方体形状のもので、その上側の面から、複数本（図の場合には３本）の電源側端子１３と、同様に複数本（図の場合には３本）の負荷側端子１４とが突出している。各電源側端子１３は、ケース１０の上面の一方の側面部に、略等間隔で並設され、また各負荷側端子１４は、ケース１０の上面の他方の側面部に、略等間隔で並設されている。上記電源側端子１３は、電源側に接続されるものであり、また負荷側端子１４は、負荷側に接続されるものである。上記において、電源側端子１３が配置された領域を第１のケース領域１１と称し、また、負荷側端子１４が配置された領域を第２のケース領域１２と称する。そして、電源側端子１３が配置された第１のケース領域１１と、負荷側端子１４が配置された第２のケース領域１２との間に段差１５を設け、第２のケース領域１２が第１のケース領域１１よりも高くなるようにしている。
【００１２】
上記電気部品によれば、段差１５によりケース１０の端子引出面に高低差ができるので、接続作業の際、電源側端子１３と負荷側端子１４が配置された各ケース領域１１、１２を目視により、容易かつ確実に区別することができ、電源側端子１３と負荷側端子１４との逆接続を防止できる。
【００１３】
また、図２に第２実施形態を示している。同図に示すように、この実施形態では、負荷側端子１４の周囲に、ケース１０と一体的に周壁２０を設けている。この場合、周壁２０は、全ての（３本の）負荷側端子１４の外周部全体を囲むように設けられると共に、さらに各負荷側端子１４の間を仕切る隔壁２１が上記周壁２０と一体的に設けられている。この実施形態においては、周壁２０の有無により、電源側端子１３が配置された第１のケース領域１１と、負荷側端子１４が配置された第２のケース領域１２とを目視により、容易かつ確実に区別することができ、逆接続を防止できる。
【００１４】
以上にこの発明の具体的な実施の形態について説明したが、この発明は上記形態に限定されるものではなく、この発明の範囲内で種々変更して実施することができる。例えば、上記第１実施形態においては、電源側端子１３が配置された第１のケース領域１１よりも負荷側端子１４が配置された第２のケース領域１２が高くなるようにしているが、電源側端子１３の配置される第１のケース領域１１の方が高くなるように段差１５を設けてもよい。また、上記第２実施形態においては、負荷側端子１４の周囲にケース１０と一体的に周壁２０を設けたが、電源側端子１３の周囲に周壁２０を設けてもよい。この場合、各電源側端子１３の間を仕切る隔壁２１を設ければ、トラッキング防止のために有効である。もっとも、第１実施形態においても、隣接する電源側端子１３間のケース上に、各電源側端子１３間を仕切る隔壁を設けてもよい。また、各端子は板状端子に限られるものではなく、他の形状であってもよい。
【図面の簡単な説明】
【００１５】
【図１】この発明の電気部品の第１実施形態を示す図で、（ａ）は側面図、（ｂ）は平面図である。
【図２】この発明の電気部品の第２実施形態を示す図で、（ａ）は側面図、（ｂ）は平面図である。
【図３】従来の電気部品を示す図で、（ａ）は側面図、（ｂ）は平面図である。
【符号の説明】
【００１６】
１０・・ケース、１１・・第１のケース領域（電源側）、１２・・第２のケース領域（負荷側）、１３・・電源側端子、１４・・負荷側端子、１５・・段差、２０・・周壁、２１・・隔壁
【図１】
2005243898.tif 000003
【図２】
2005243898.tif 000004
【図３】
2005243898.tif 000005